(57)【要約】【課題】簡単に物品収受装置を壁内に埋め込み、物品収受装置と壁面間に充填材を詰め込むことができる物品収受装置及びその設置方法を提供する。【解決手段】宅配ボックス１は開閉扉を備えた複数の収納ボックス１１からなり、左右の側壁４０、４１と上壁４２で区切られた壁内部に設置される。壁内部に配置されたときに側壁の内部壁面に対面する宅配ボックスの側面プレートに側部スペーサ２０が取り付けられ、上壁の内部壁面に対面する上面プレートに上部スペーサ２１が取り付けられる。側壁の内部壁面と側部スペーサ２０間の隙間、並びに上壁の内部壁面と上部スペーサ２１間の隙間に充填材３０が注入される。【選択図】図１
2015008853.tif 000002
【特許請求の範囲】
【請求項１】
左右の側壁と上壁で区切られた壁内部に配置される開閉扉を備えた複数の収納ボックスからなる物品収受装置であって、
壁内部に配置されたときに側壁の内部壁面に対面する物品収受装置の側面プレートと、上壁の内部壁面に対面する上面プレートにそれぞれスペーサが取り付けられ、
側面プレートに取り付けられるスペーサと側壁の内部壁面間の隙間、並びに上面プレートに取り付けられるスペーサと上壁の内部壁面間の隙間に充填材が注入されることを特徴とする物品収受装置。
【請求項２】
前記側面プレートに取り付けられるスペーサと上面プレートに取り付けられるスペーサは、各プレートが取り付けられたとき、物品収受装置の底部を除く周囲が囲まれるような長さとなっていることを特徴とする請求項１に記載の物品収受装置。
【請求項３】
上記側面プレートに取り付けられるスペーサは、一枚のプレートからその物品収受装置の前方側端部を側壁の内部壁面側に折り曲げ、物品収受装置の後方側端部を側面プレート側に折り曲げることにより形成されることを特徴とする請求項１又は２に記載の物品収受装置。
【請求項４】
上記上面プレートに取り付けられるスペーサは、一枚のプレートからその物品収受装置の前方側端部を上壁の内部壁面側に折り曲げることにより形成されることを特徴とする請求項１から３のいずれか１項に記載の物品収受装置。
【請求項５】
前記収納ボックスの扉は、該扉を閉じたとき収納ボックスの開口部に設けたフレーム枠に重なって収納ボックスの開口部を塞ぐことを特徴とする請求項１から４のいずれか１項に記載の物品収受装置。
【請求項６】
開閉扉を備えた複数の収納ボックスからなる物品収受装置を、左右の側壁と上壁で区切られた壁内部に設置する物品収受装置の設置方法であって、
壁内部に配置されたときに側壁の内部壁面に対面する物品収受装置の側面プレートと、上壁の内部壁面に対面する上面プレートにそれぞれスペーサを取り付け、
各スペーサが取り付けられた物品収受装置を、左右の側壁と上壁で区切られた壁内部に設置し、
側壁の内部壁面とスペーサ間に発生する隙間、並びに上壁の内部壁面とスペーサ間に発生する隙間にそれぞれ充填材を注入することを特徴とする物品収受装置の設置方法。
【請求項７】
前記側面プレートに取り付けられるスペーサと上面プレートに取り付けられるスペーサは、各プレートが取り付けられたとき、物品収受装置の底部を除く周囲が囲まれるような長さとなっていることを特徴とする請求項６に記載の物品収受装置の設置方法。
【請求項８】
上記側面プレートに取り付けられるスペーサは、一枚のプレートからその物品収受装置の前方側端部を側壁の内部壁面側に折り曲げ、物品収受装置の後方側端部を側面プレート側に折り曲げることにより形成されることを特徴とする請求項６又は７に記載の物品収受装置の設置方法。
【請求項９】
上記上面プレートに取り付けられるスペーサは、一枚のプレートからその物品収受装置の前方側端部を上壁の内部壁面側に折り曲げることにより形成されることを特徴とする請求項６から８のいずれか１項に記載の物品収受装置の設置方法。
【請求項１０】
前記収納ボックスの扉は、該扉を閉じたとき収納ボックスの開口部に設けたフレーム枠に重なって収納ボックスの開口部を塞ぐことを特徴とする請求項６から９のいずれか１項に記載の物品収受装置の設置方法。
【請求項１１】
物品収受装置は、収納ボックスの扉の前面が側壁ないし上壁の壁面とほぼ同一面となるように設置されることを特徴とする請求項１０に記載の物品収受装置の設置方法。
【発明の詳細な説明】
【技術分野】
【０００１】
本発明は、宅配ボックスなど物品の収受に用いられる物品収受装置並びにその設置方法に関するものである。
【背景技術】
【０００２】
マンションなどの集合住宅などには、いわゆる宅配ボックスが設置されることがある。宅配ボックスは、特定の居住者宛ての宅配物を受け取る、あるいは特定の居住者が発送する宅配物を集荷するための施錠可能、かつ物理的な鍵やＩＣカードを用いた鍵により開錠可能な物品収納ボックスを複数有するロッカーに類似した物品収受装置である。
【０００３】
また、集合住宅などには、宅配ボックスが設置されていなくても、郵便受けは必ず配置される。物品収受、という共通性から、上記の宅配ボックスを、郵便受けとともに配置した物品収受装置も知られている。
【０００４】
宅配ボックス並びに郵便受けは、その受取口ないし開閉扉が、配達側と反対側の受取側に設けられた壁面に位置するように設置されるので、マンションの内装上の美観を高める上で、宅配ボックス並びに郵便受けは、集合住宅のエントランスの壁に埋め込まれて開閉扉面が壁面から突出しないようにし、壁面と一体となっているような外観を呈するような工夫がなされている（特許文献１）。
【０００５】
また、物品収受装置が壁に埋め込み施工される場合、物品収受装置と壁面の隙間にコーキング材やシーリング材などの充填材を詰め、隙間に異物が侵入するのを防止することが行われている（特許文献２）。
【０００６】
また、物品収受装置の開閉扉が閉じたとき、扉を収納ボックスの取り出し口に設けたフレーム枠内に嵌めるように構成するのではなく、フレーム枠上に重ねフレーム枠を前面から見えなくなるようにして美観に優れた物品収受装置に仕上げることが行われている。
【先行技術文献】
【特許文献】
【０００７】
【特許文献１】特開２０１０−１１５２６５号公報
【特許文献２】特開２００６−５５４４５号公報
【発明の概要】
【発明が解決しようとする課題】
【０００８】
物品収受装置の扉が閉じたとき扉がフレーム枠上に重なるタイプの物品収受装置では、扉が物品収受装置の筐体側面近くまで幅方向にせり出しているので、物品収受装置と壁面の隙間に充填材を注入するとき、充填材が扉の一部にかぶってしまい、扉の開閉に支障をきたすことがある。従って、物品収受装置を壁内に埋め込む前、あるいは充填材を隙間に注入する前に、一度扉を外し、充填材を注入後に再び扉を取り付ける作業が必要になるなど、物品収受装置の設置作業に時間と労力を要するという問題があった。
【０００９】
本発明は、このような問題を解決するためになされたもので、簡単に物品収受装置を壁内に埋め込み、物品収受装置と壁面間に充填材を詰め込むことができる物品収受装置及びその設置方法を提供することを課題とする。
【課題を解決するための手段】
【００１０】
本発明は、
左右の側壁と上壁で区切られた壁内部に配置される開閉扉を備えた複数の収納ボックスからなる物品収受装置であって、
壁内部に配置されたときに側壁の内部壁面に対面する物品収受装置の側面プレートと、上壁の内部壁面に対面する上面プレートにそれぞれスペーサが取り付けられ、
側面プレートに取り付けられるスペーサと側壁の内部壁面間の隙間、並びに上面プレートに取り付けられるスペーサと上壁の内部壁面間の隙間に充填材が注入されることを特徴とする。
【００１１】
また、本発明は、
開閉扉を備えた複数の収納ボックスからなる物品収受装置を、左右の側壁と上壁で区切られた壁内部に設置する物品収受装置の設置方法であって、
壁内部に配置されたときに側壁の内部壁面に対面する物品収受装置の側面プレートと、上壁の内部壁面に対面する上面プレートにそれぞれスペーサを取り付け、
各スペーサが取り付けられた物品収受装置を、左右の側壁と上壁で区切られた壁内部に設置し、
側壁の内部壁面とスペーサ間に発生する隙間、並びに上壁の内部壁面とスペーサ間に発生する隙間にそれぞれ充填材を注入することを特徴とする。
【発明の効果】
【００１２】
本発明では、物品収受装置の側面プレートと、上面プレートにそれぞれスペーサが取り付けられ、各内部壁面とスペーサ間に充填材が注入されるので、収納ボックスの扉を外した状態で充填材を注入する必要がなくなり、物品収受装置の設置作業を簡略化できる、という優れた効果が得られる。
【図面の簡単な説明】
【００１３】
【図１】壁面に埋め込まれた宅配ボックスの正面図である。
【図２】壁面に埋め込む前の宅配ボックスの一部を示した斜視図である。
【図３】図１のＡ−Ａ線に沿った断面図である。
【図４】図１のＢ−Ｂ線に沿った断面図である。
【発明を実施するための形態】
【００１４】
以下、図面に示す実施例に基づいて本発明を詳細に説明する。実施例では、物品収受装置として宅配ボックスを例にして説明するが、本発明は、宅配ボックスだけでなく、宅配ボックスと郵便受けなどを併設した物品収受装置、あるいは物品を収納するロッカーなどの物品収受装置などにも適用できるものである。
【実施例】
【００１５】
図１には、物品収受装置としての宅配ボックス１が図示されている。宅配ボックス１は、マンションなどの集合住宅に居住者に合わせて宅配ボックスユニット１０を複数併設して配置される。
【００１６】
宅配ボックスユニット１０は、上下に複数の収納ボックス１１を配置したものであり、図１の例では、３つの宅配ボックスユニット１０が横方向にボルトナット式の固定手段（不図示）で互いに固定されて台座１５上に配置され、マンションなどの集合住宅のエントランス壁内に埋め込まれて配置される。図１のように、併設された宅配ボックスユニット１０の全体を宅配ボックスという場合もあるし、収納ボックスを上下に重ねた宅配ボックスユニット１０を宅配ボックスという場合もある。
【００１７】
宅配ボックスユニット１０は、図２に示したように、高さＨ、奥行きＤの左右の側面プレート１０ａ、１０ｂと、幅Ｗ、奥行きＤの上面プレート１０ｃ並びに底面プレート１０ｄと、高さＨ、幅Ｗの背面プレート１０ｅからなる金属製の筐体から構成される。
【００１８】
宅配ボックスユニット１０には、上面プレート１０ｃと平行に同じ大きさの仕切りプレート１０ｆが取り付けられており、これにより左右の側面プレート１０ａ、１０ｂ、上面プレート１０ｃ、並びに仕切りプレート１０ｆで区切られた直方体の収納ボックス１１が形成される。収納ボックス１１の前面は、矩形のフレーム枠１０ｇで縁取られており、フレーム枠１０ｇの中心開口が収納ボックス１１の開口部１１ａとなっている（図１では、点線で示した矩形部）。筐体の各プレートは溶接されるか、あるいは一枚のプレートを折り曲げ加工することにより筐体が構成される。
【００１９】
図１において、各宅配ボックスユニット１０の収納ボックス１１は同じ容積であるが、左の宅配ボックスユニット１０下方の収納ボックス１１は、他の収納ボックス１１の約３倍の容積をもち、中央の宅配ボックスユニット１０の上から２番目のボックスは、表示器１４ａを備えたコンソール１４となっており、ボックス内には宅配ボックスを制御する制御回路などが収納されている。
【００２０】
各収納ボックス１１には、扉１２がヒンジ（不図示）などで取り付けられ、収納ボックス１１の開口部１１ａを開閉できるようになっている。扉の開閉はコンソール１４を操作して電気錠（不図示）を制御することにより行われる。
【００２１】
扉１２は、扉１２が閉じたとき収納ボックス１１のフレーム枠１０ｇの枠内に嵌り、扉１２の前面とフレーム枠１０ｇの垂直面が同一面となるように取り付けられるタイプ（インセットと呼ばれる）と、本実施例のように、扉１２が閉じたとき扉がフレーム枠１０ｇと重なって収納ボックス１１の開口部１１ａを塞ぎ、図３、図４で示したように、扉１２の前面１２ａがフレーム枠１０ｇよりＨだけ手前に突出するタイプ（アウトセットと呼ばれる）がある。扉が閉じたときフレーム枠に重なるタイプでは、図１で示すように、フレーム枠が前方から見たとき見えなくなるので、美観に優れ、扉がフレーム枠内に嵌合するタイプよりも好まれる。
【００２２】
宅配ボックス１は、図１で示したように、集合住宅のエントランスの左右の側壁４０、４１、上壁４２で囲まれた壁内部に埋め込まれるようにして配置される。このとき、宅配ボックスは、図３、図４で示したように、扉１２の前面１２ａと側壁４０、上壁４２の垂直面４０ａ、４２ａがほぼ同一面となるように配置される。このように配置すると、宅配ボックスを壁内に埋め込んだとき、宅配ボックスが壁面から突出することがないので、宅配ボックスと壁との一体観が増し、美観に優れるだけでなく、居住者が突出した宅配ボックスに当たりけがをすることが防止できる。
【００２３】
宅配ボックスを壁内に埋め込んだあと、宅配ボックスと内壁間には隙間が発生するので、コーキング材あるいはシーリング材などの充填材３０が隙間に注入され、異物が隙間に侵入するのを防止している。
【００２４】
本実施例のように、扉が閉じたとき扉がフレーム枠に重なるタイプでは、扉が宅配ボックスの筐体側面（側面プレート１０ａ、１０ｂ）近くまで幅方向にせり出しているので、宅配ボックスとの隙間に充填材を注入すると、充填材が扉の一部にかぶってしまい、扉の開閉に支障をきたすことがある。そこで、本実施例では、宅配ボックスにスペーサを取り付け、スペーサと内壁間に充填材を充填するようにしている。
【００２５】
本実施例では、スペーサは、宅配ボックスユニット１０の側面プレート１０ａに固定される側部スペーサ２０と、上面プレート１０ｃに固定される上部スペーサ２１から構成される。側部スペーサ２０は、図２、図３で示したように、側面プレート１０ａとほぼ同一厚さの一枚の金属製プレートから構成され、このプレートの宅配ボックスユニット１０の前方側端部２０ａ（図３で下方端部）を、中央部２０ｂから側壁４０の内部壁面４０ｂ側に折り曲げ、後方側端部２０ｃ（図３で上方端部）を側面プレート１０ａ側に折り曲げることにより厚さがＴ１のスペーサが形成される。中央部２０ｂと側面プレート１０ａ側の端部２０ｃには、孔２０ｄが側面プレート１０ａに形成された宅配ボックスユニット連結用の孔に合わせて形成されており、側部スペーサ２０はこれらの孔に留め具を通して側面プレート１０ａに固定される。側部プレート２０の高さは、側面プレート１０ａの高さＨと、上部スペーサ２０の高さと、台座１５の高さを合計した値となっており、端部２０ａ、２０ｃが折り返された状態での奥行きＤ１が側面プレート１０ａの奥行きＤの約１／５〜１／６となっている。側部スペーサ２０は、端部２０ａの前端面が扉１２の前面１２ａとほぼ同一面となるか、あるいは扉１２の前面１２ａより突出しないように、また端部２０ｃの前端面がフレーム枠１０ｇの前面とほぼ同一面となるように、側面プレート１０ａに固定される。
【００２６】
上部スペーサ２１は、図２、図４で示したように、側面プレート１０ａ、上面プレート１０ｃと同一厚さの一枚の金属製プレートから構成され、このプレートの宅配ボックスユニット１０の前方側端部２１ａ（図４で左側端部）を中央部２１ｂから上壁４２の内部壁面４２ｂ側に折り曲げることにより厚さがＴ２のスペーサが形成される。中央部２１ｂには孔２１ｄが上面プレート１０ｃに形成された孔に合わせて形成されており、上部スペーサ２１はこれらの孔に留め具を通して上面プレート１０ｃに固定される。上部スペーサ２１は幅が上面プレート１０ｃの幅Ｗと同じ幅を有し、端部２１ａが折り返された状態での奥行きＤ１が側面プレート１０ａ、上面プレート１０ｃの奥行きＤの約１／５〜１／６となっている。上部スペーサ２１は、端部２１ａの前端面が扉１２の前面１２ａとほぼ同一面となるか、あるいは扉１２の前面１２ａより突出しないように、上面プレート１０ｃに固定される。
【００２７】
このように構成された宅配ボックスを集合住宅のエントランスの壁内に設置するときは、側壁４０、４１の内部壁面に対面する宅配ボックスユニット１０の側面プレート１０ａ、１０ｂに側部スペーサ２０を固定する。このとき、側部スペーサ２０は、扉１２が閉じられた状態で、端部２０ａの前端面が扉１２の前面１２ａとほぼ同一面となるか、あるいは扉１２の前面１２ａより突出しないように、側面プレート１０ａ、１０ｂに固定される。
【００２８】
また、上壁４２の内部壁面４２ｂに対面する各宅配ボックスユニット１０の上面プレート１０ｃに上部スペーサ２１を、その端部２１ａの前端面が閉じた扉１２の前面１２ａとほぼ同一面となるか、あるいは扉１２の前面１２ａより突出しないように固定する。
【００２９】
続いて、各宅配ボックスユニット１０を、閉じた各扉が同一面となるように横方向に連結してエントランスの側壁４０、４１、上壁４２で区切られた壁内に設置する。側壁４０、４１の内部壁面と側部スペーサ２０間の隙間、並びに上壁４２の内部壁面と上部スペーサ２１間には隙間が発生するので、これらの隙間にコーキング材あるいはシーリング材などの充填材３０が注入され、異物が隙間に侵入するのを防止する。このとき充填材３０は、側壁４０、４１、上壁４２の垂直な壁面４０ａ、４２ａからはみ出すことがないように注入される。
【００３０】
側部スペーサ２０は、宅配ボックスユニットが設置される壁底部から側面プレート１０ａ、１０ｂの上部を超えて上部スペーサ２１の上部まで延びており、一方上部スペーサ２１は上面プレート１０ｃの幅Ｗを有するので、その側壁側端部は側部スペーサ２０に当接し、他の端部は隣接する上部スペーサ２１の端部に当接する。このように、側部スペーサ２０、上部スペーサ２１は、各スペーサが取り付けられたとき、宅配ボックス１の底部を除く周囲が囲まれるような長さであるので、側部スペーサ２０、上部スペーサ２１により充填材３０が内側方向に入り込むのが防止され、充填材３０が宅配ボックス内に入り込むのを防止することができる。
【００３１】
また、側部スペーサ２０は、端部２０ａだけでなく端部２０ｃが逆方向に折り返されて形成され、一方上部スペーサ２１には、このような折り返しがないことから、図３、図４で示したように、側部スペーサ２０の中央部２０ｂと扉１２間に左右方向に発生する隙間Ｓ１は、上部スペーサ２１の中央部２１ｂと扉１２間に上下方向に発生する隙間Ｓ２より大きくなる。これは、図３で一点鎖線で示したように、扉１２が垂直軸を中心に回動するとき、その一部が隙間Ｓ１に入り込むことができるように隙間Ｓ１をＳ２より大きくしたものである。これに対して隙間Ｓ２は扉を開閉しても変動しないので、扉の開閉に支障のない最低限の値にすることができる。
【００３２】
上述した実施例では、側部スペーサ、上部スペーサは一枚のプレートのそれぞれ端部を折り返してその厚さを稼いでいるが、厚さＴ１のプレートで側部スペーサを、厚さＴ２のプレートで上部スペーサを構成するようにしてもよい。端部を折り返してスペーサを構成する場合には、折り返し部が丸みを帯び、作業者がけがをする危険がないほかに、軽量であるという利点が得られる。
【００３３】
また、上述した実施例では、側部スペーサと上部スペーサを別部材として構成しているが、所定の厚さと幅を有する一枚のプレートを直角に折り曲げ、各折り曲げ辺を側部スペーサ、上部スペーサとするようにしてもよい。
【００３４】
また、上述した実施例では、充填材３０は側部スペーサ２０の折り返された端部２０ａの後端、あるいは上部スペーサ２１の折り返された端部２１ａの後端までしか充填されていないが、各後端を超えてさらに奥方向に充填するようにしてもよい。
【符号の説明】
【００３５】
１    宅配ボックス
１０  宅配ボックスユニット
１０ａ、１０ｂ  側面プレート
１０ｃ  上面プレート
１０ｄ  底面プレート
１０ｅ  背面プレート
１０ｆ  仕切りプレート
１０ｇ  フレーム枠
１１  収納ボックス
１２  扉
１４  コンソール
１５  台座
２０  側部スペーサ
２１  上部スペーサ
３０  充填材
４０、４１  側壁
４２  上壁
【図１】
2015008853.tif 000003
【図２】
2015008853.tif 000004
【図３】
2015008853.tif 000005
【図４】
2015008853.tif 000006